(57)【要約】【課題】  組み立てが容易であり、コンパクトな充電装置を提供する。【解決手段】  電気機器を凹部２に取付可能な充電装置本体Ｓ１と、充電用に配線した基板９と、基端部６ｂが基板９の電気配線に接続され、他端部が充電端子６ａとなるよう導電性弾性部材で構成した一対の線状部材６と、線状部材６に付勢されつつスライド移動し、電気機器１に当接する出退部７、及び、線状部材に当接して充電端子の出退を制御する規制部１２を有するスライド部材８と、本体の底部に取付ける底部材Ｓ２とを備え、底部材Ｓ２を本体に取付けた状態で、電気機器１を装着しないとき、規制部１２が線状部材６に当接して充電端子を引退させ、電気機器１を装着したとき、出退部７が本体Ｓ１の内部に引退して規制部１２が線状部材６を解放し、充電端子６ａを外部に突出させるよう、線状部材６の一部を押圧して規制部１２に当接させる押圧部１６を底部材Ｓ２に備える。【選択図】    図３
2006353036.tif 000002
【特許請求の範囲】
【請求項１】
充電可能な電気機器を装着する凹部を備えた充電装置本体と、
充電用の電気配線を施した基板と、
基端部が前記基板の電気配線に接続され、他端部が前記電気機器に当接可能な充電端子となるよう導電性の弾性部材で構成した一対の線状部材と、
前記線状部材に対して付勢されつつスライド移動可能であり、前記凹部に装着された電気機器に当接可能な出退部、および、前記線状部材に当接して前記充電端子の前記充電装置本体からの出退を制御する規制部を有するスライド部材と、
前記充電装置本体の底部に取り付け可能な底部材とを備えており、
前記底部材を前記充電装置本体に取り付けた状態で、前記電気機器を前記凹部に装着しないとき、前記規制部が前記線状部材に当接して前記充電端子を前記充電装置本体の内部に引退させ、前記電気機器を前記凹部に装着したとき、前記出退部が前記充電装置本体の内部に引退すると共に前記規制部が前記線状部材の規制を解放し、前記充電端子を前記充電装置本体の外部に突出させるよう、前記線状部材の一部を押圧し、前記線状部材を前記規制部に当接させた形状に矯正する押圧部を前記底部材に備えている充電装置。
【請求項２】
前記充電端子が前記充電装置本体に設けた端子用孔部の一方の縁部に押しつけられるよう、前記線状部材に対する前記規制部の押圧方向と、前記充電端子の出退方向とがほぼ直角である請求項１に記載の充電装置。
【請求項３】
前記充電端子が前記端子用孔部の一方の縁部に押しつけられるよう、前記線状部材にねじり力を発生させている請求項1又は２に記載の充電装置。
【請求項４】
前記基端部と前記充電端子との間にコイルバネ部を備え、前記押圧部が前記コイルバネ部を前記充電装置本体の内方側に押圧すると共に、前記押圧部に前記コイルバネ部の姿勢を決定する矯正部を備えている請求項１〜３の何れか一項に記載の充電装置。
【請求項５】
前記押圧部が前記コイルバネ部を包持する箱部である請求項４に記載の充電装置。
【請求項６】
前記基端部が、前記基板と一体となった固定部材あるいは前記基板に固定してある請求項１〜５の何れか一項に記載の充電装置。
【請求項７】
前記底部材が、前記充電装置本体の裏蓋部材である請求項１〜６の何れか一項に記載の充電装置。
【請求項８】
前記線状部材の他端部のうち前記充電端子の外側に、前記充電装置本体の内面に当接して、前記充電装置本体の外部への前記充電端子の突出量を規制するストッパを備えている請求項１〜７の何れか一項に記載の充電装置。
【発明の詳細な説明】
【技術分野】
【０００１】
本発明は、充電可能な電気機器を装着する凹部を有する装置本体と、電気機器の当接によって当該装置本体に対して出退する出退部と、当該出退部の突出・引退に連動して充電装置本体に対して引退・突出する充電端子とを備えた充電装置に関する。
【背景技術】
【０００２】
本発明に関する従来の技術としては、例えば以下に示すものがある。
（特許文献１〔０００３〕段落乃至〔０００７〕段落参照）。
【０００３】
当該特許文献は、図１２に示すごとく、携帯電話機１ａの内蔵電池に係る充電装置を開示している。この充電装置は、それまでの充電装置が有していた種々の問題点、例えば、（１）携帯電話機を充電装置Ｓに装着していない状態で充電端子６ａが露出していたため、金属製の他物を誤って接触させた場合に短絡が生じる、（２）充電端子６ａに他物が接触することで充電端子６ａが変形し、その後に接触不良が生じる、（３）充電端子６ａにユーザの手が触れて低電圧ながら感電による不快感を与える、等の問題点を解決しようとするものである。
【０００４】
当該充電装置Ｓは、携帯電話機１ａの装着を検知すると共に、電話機１ａが装着されていない場合に、充電端子６ａを充電装置本体Ｓ１の内部に引退させる回転片２０を備えている。携帯電話機１ａが装着されていないときには、図１２（ａ）に示すごとく、電話機１ａに当接する側の一端２０ａをコイルスプリング２１によって装置本体Ｓ１から突出させておく。このとき、回転片２０の他端２０ｂは、充電端子６ａが装置本体Ｓ１の内部に留まるように充電端子６ａを押圧する。
一方、電話機１ａを装着した際には、図１２（ｃ）に示すごとく、電話機１ａによって回転片２０の一端２０ａが本体Ｓ１の内部に押し込まれ、他端２０ｂによる充電端子６ａの押し込みが解除されて、充電端子６ａが装置本体Ｓ１の外部に突出する。
【０００５】
この充電装置Ｓでは、二つある充電端子６ａは夫々独立に動作する。つまり、左右の回転片２０が電話機１ａによって同時に押し込まれたときにのみ双方の充電端子６ａが突出する。このように左右の回転片２０が同時に押し込まれるのは、電話機１ａを装着した場合にほぼ限られる。よって、当該充電装置Ｓでは、金属製の他物が双方の充電端子６ａに接触して短絡するといった不都合が生じ難い構成となっている。
【０００６】
【特許文献１】特開２００３−９４０９号公報
【発明の開示】
【発明が解決しようとする課題】
【０００７】
上記従来の充電装置Ｓでは、前記回転片２０等の部材は装置本体Ｓ１の一部を構成する底部材２２に取り付けられる。このとき、充電端子６ａは、充電装置本体Ｓ１から突出する側に付勢力を発揮している。しかし、前記回転片２０の他端２０ｂによってその動きは阻止されている。つまり、充電端子６ａは、固定部２３に反力をとって回転片２０を上方に浮き上がらせようとする。一方、電話機１ａに当接する前記一端２０ａは、コイルスプリング２１によって、やはり、底部材２２から上方に付勢されている。
当該従来技術の構成からみて、前記回転片２０を仮組みする際には、全ての部品を底部材２２に固定する。よって、仮組みに際しては、上記回転片２０や充電端子６ａ等が浮き上がらないように保持しつつ、充電装置本体Ｓ１を底部材２２に取り付ける必要がある。しかし、充電端子６ａの付勢力などによって、装置本体Ｓ１を取り付ける際に、上記回転片２０が支持部２４から脱落することもあり、従来の充電装置Ｓは組み立てが非常に煩雑なものとなっていた。
【０００８】
また、当該充電装置Ｓでは、携帯電話１ａの装着によって回転片２０が所定角度だけ回動する。全体の形状をコンパクトに構成したい充電装置Ｓにあっては、本体の内部で回転動作する回転片２０は上記コンパクト化の傷害となる。さらに、前記回転片２０の中間部分には回転するための支点２５を設け、回転片２０の全長をある程度の長さに設定する必要がある。この点も、充電装置本体Ｓ１のコンパクト化を阻害する要因となっている。
【０００９】
そこで、本発明は上記実状に鑑み、組み立てが容易であり、コンパクトな充電装置を提供することを目的としている。
【課題を解決するための手段】
【００１０】
（特徴構成１）
本発明の充電装置の特徴構成は、充電可能な電気機器を装着する凹部を備えた充電装置本体と、充電用の電気配線を施した基板と、基端部が前記基板に固定され、他端部が前記電気機器に当接可能な充電端子となるよう導電性の弾性部材で構成した一対の線状部材と、前記線状部材に対して付勢されつつスライド移動可能であり、前記凹部に装着された電気機器に当接可能な出退部、および、前記線状部材に当接して前記充電端子の前記充電装置本体からの出退を制御する規制部を有するスライド部材と、前記充電装置本体の底部に取り付け可能な底部材とを備えており、前記底部材を前記充電装置本体に取り付けた状態で、前記電気機器を前記凹部に装着しないとき、前記規制部が前記線状部材に当接して前記充電端子を前記充電装置本体の内部に引退させ、前記電気機器を前記凹部に装着したとき、前記出退部が前記充電装置本体の内部に引退すると共に前記規制部が前記線状部材の規制を解放し、前記充電端子を前記充電装置本体の外部に突出させるよう、前記線状部材の一部を押圧し、前記線状部材を前記規制部に当接させた形状に矯正する押圧部を前記底部材に備えた点にある。
【００１１】
（作用効果）
本構成は、特に、前記底部材を前記充電装置本体に取り付けた状態で、前記線状部材の一部を押圧すると共に、前記線状部材と前記規制部とが当接するように線状部材の形状を矯正する押圧部を前記底部材に設けた点に特徴を有する。本構成であれば、基板やスライド部材を本体に仮組する行程において、底部材を取り付けるまで、前記スライド部材の規制部と前記線状部材とを接触させずにおくことができる。上述のごとく、前記スライド部材は前記線状部材に対して付勢されている。一方、線状部材は、弾性部材で構成してある。よって、底部材を取り付けるまでの段階で、前記線状部材とスライド部材の規制部とが当接するような仮組みを強いられるとすれば、スライド部材の姿勢が乱れて、前記付勢力によってスライド部材が溝部から外れるおそれが生じる。このような不安定な状態で行う仮組作業は非常に煩雑なものとなる。しかし、本構成のごとく、底部材を取り付ける際に、底部材によって初めて線状部材が前記規制部に当接するものであれば、作業途中にスライド部材が外れるおそれがなく、組み立て作業が極めて容易となる。
さらに、本構成のごとく、前記凹部に装着された電気機器に当接可能な出退部をスライド式に構成すれば、装置本体の内部に当該スライド部材を組み込む際に、スライド部材の所定のストロークさえ確保できればよい。よって、特に、装置本体の厚みが過大となることがなく、コンパクトな充電装置を得ることができる。
【００１２】
（特徴構成２）
本発明の充電装置においては、前記充電端子が前記充電装置本体に設けた端子用孔部の一方の縁部に押しつけられるよう、前記線状部材に対する前記規制部の押圧方向と、前記充電端子の出退方向とをほぼ直角に構成することができる。
【００１３】
（作用効果）
本構成のごとく、線状部材に対する規制部の押圧方向と、充電端子の出退方向とをほぼ直角に構成し、規制部によって押された充電端子が端子用孔部の一方の縁部に押し付けられるようにすれば、充電端子の出退位置を常に一定の位置に決定することができる。
本構成であれば、仮に端子用孔部の開口幅にバラツキがあっても、充電端子の出退位置が正確なものとなる。この結果、電気機器の受電端子に対する充電端子の当接が確実になるばかりでなく、当該当接が確実になる結果、受電端子をより小さく構成でき、電気機器の意匠性を高めることもできる。
【００１４】
（特徴構成３）
本発明の充電装置においては、前記充電端子が前記端子用孔部の一方の縁部に押しつけられるよう、前記線状部材にねじり力を発生させる構成とすることができる。
【００１５】
（作用効果）
本構成の場合にも、線状部材の先端に形成した充電端子を端子用孔部に挿通したとき、充電端子が端子用孔部の一方の縁部に当接する。よって、上記特徴構成２による作用効果に加えて、充電端子の出退位置をより正確に設定することができる。
【００１６】
（特徴構成４）
本発明の充電装置においては、前記基端部と前記充電端子との間にコイルバネ部を備え、前記押圧部が前記コイルバネ部を前記充電装置本体の内方側に押圧すると共に、前記押圧部に前記コイルバネ部の姿勢を決定する矯正部を備えた構成としてもよい。
【００１７】
（作用効果）
本構成では、押圧部によって線状部材を充電装置本体の内部に押圧する。しかしその際に、線状部材がその後の機能を発揮できないほど変形するのは好ましくない。本構成では、コイルバネ部は前記押圧部によって押し込まれる。一般にコイルバネは、その両端部間の捻り程度を変化させる構成であるから、本構成のように押圧した場合でも、コイルバネ部は所期の変形を受けるだけで、不都合が生じる程の変形を受けるものではない。また、例えば直線状の線状部材を所定の角度に曲げるのに比べて、コイルバネ部の捻り量を変化させて同じ角度だけ曲げ変形させる方が、線状部材の局部に作用する応力も小さくなる。よって、本構成であれば、線状部材を損傷させることのない合理的な充電端子構造を得ることができる。
【００１８】
さらに、本構成であれば、コイルバネ部の姿勢を決定する矯正部を押圧部に設けてあるから、上記特徴構成３の項で述べたねじり力を線状部材に適切に付与することができる。この結果、充電端子の出退動作をより確実なものにすることができる。
【００１９】
（特徴構成５）
本発明の充電装置においては、前記押圧部を前記コイルバネ部を包持する箱部として構成することができる。
【００２０】
（作用効果）
本構成のごとく、箱部によってコイルバネ部を包持しつつ前記充電装置本体の内方にコイルバネ部を押し込む構成であれば、コイルバネ部が押圧される際に予期しない方向に位置ずれするおそれがない。よって、線状部材の押し込みを正確に行うことができ、前記線状部材と前記規制部とを所期の当接状態に設定することができる。
さらに、充電装置の組立てに際して、箱部を設けた底部材を充電装置本体に近付ける場合に、作業者は、前記線状部材が変形することによる抵抗を受ける。しかし、箱部によってコイルバネ部を包持しつつ前記充電装置本体の内方にコイルバネ部を押し込む構成であるから、コイルバネ部が不意に姿勢変化するようなことが無い。よって、底部材の取り付け操作が安定して当該充電装置の組立作業が容易になる。
【００２１】
（特徴構成６）
本発明の充電装置においては、前記基端部を、前記基板と一体となった固定部材あるいは前記基板に固定して構成することができる。
【００２２】
（作用効果）
本構成のごとく、線状部材の基端部は、前記基板と一体となった固定部材に固定しても良いし、前記基板に直に固定しても良い。線状部材を基板と一体の固定部材に固定する場合には、線状部材を予め基板の側に固定しておくことができるため、基板と線状部材とを組み立てた状態で前記本体に取り付けることができる。この結果、充電装置の組み立てがより容易となる。
勿論、線状部材の基端部を基板に直に取り付ける構成とし、固定部材を省略する構成とすれば、充電装置の構成がより簡単になり、組み立て工数も削減することができる。
【００２３】
（特徴構成７）
本発明の充電装置においては、前記底部材が前記充電装置本体の裏蓋部材であるように構成することができる。
【００２４】
（作用効果）
本構成のごとく、前記底部材を前記充電装置本体の裏蓋部材とすれば、特段の底部材を準備する必要がなくなるため、充電装置の構造をより簡単にすることができる。充電装置の組み立てに際しても、裏蓋部材の取り付けはほぼ必須の工程である。よって、当該裏蓋部材の取り付けを行うのと同時に前記線状部材の押圧を行うことで、組み立て工数を削減することができる。
【００２５】
（特徴構成８）
本発明の充電装置においては、前記線状部材の他端部のうち前記充電端子の外側に、前記充電装置本体の内面に当接して、前記充電装置本体の外部への前記充電端子の突出量を規制するストッパを備えて構成することができる。
【００２６】
（作用効果）
本構成のごとく、ストッパを設けておけば、充電装置の使用中に、充電端子が何かの拍子に前記端子用孔部から過度に突出するのを防止でき、充電端子の端部が前記本体の外表面に引掛かって、本体の内部に戻らなくなる不都合を防止することができる。
また、充電装置本体に対して底部材を取り付ける際にも、充電端子が充電装置本体の外側に過度に突出するのを防止することができる。よって、底部材の取り付けに際して、充電端子が本体の外面に引掛かることがなく、充電装置の組み立てをより円滑に行うことができる。
【発明を実施するための最良の形態】
【００２７】
（概要）
本発明の充電装置を図面に基づいて説明する。
図１乃至図３には、本発明の充電装置Ｓを電気機器１の一つである携帯電話機１ａ（以下、単に「電話機１ａ」と称する）の充電装置として構成した例を示す。
当該充電装置Ｓは、使用姿勢にしたとき上方部材となる充電装置本体Ｓ１（以下、単に「本体Ｓ１」と称する）と、底部材Ｓ２とを備えている。本実施形態では、当該底部材Ｓ２は、充電装置本体Ｓ１の裏蓋部材を構成する。当該本体Ｓ１は、電話機１ａを包持する凹部２を有する。当該凹部２には、電話機１ａを安定的に保持すべく、電話機１ａの外周面に形成した被係止部（図示せず）に係入する係止部３を設けてある。当該係止部３は、本体Ｓ１の内部に設けた第１バネ４によって本体Ｓ１の外方に突出付勢されており、装着された電話機１ａの被係止部に容易に係入することができる。
【００２８】
前記凹部２に設けた二つの端子用孔部５からは、電話機１ａの受電端子１ｂに当接する充電端子６ａが夫々突出している。この充電端子６ａに隣接して、前記凹部２への電話機１ａの着脱に伴って出退する二つの出退部７を備えている。前記凹部２に電話機１ａが装着されたとき、この出退部７が電話機１ａの底部によって本体Ｓ１の内部に押し込まれ、これに連動して前記充電端子６ａが出退する。これにより、電話機１ａが装着されているときにのみ電話機１ａに備えた二次電池の充電が行われる。
【００２９】
（充電端子）
図３あるいは図５乃至図７に示すごとく、充電端子６ａは、屈曲した線状部材６の端部に構成してある。当該線状部材６は導電性を有する弾性部材である。当該充電端子６ａは、後述するごとく、電話機１ａの着脱に伴うスライド部材８の動作によって本体Ｓ１から出退する。この線状部材６の基端部６ｂは、本体Ｓ１の内部に設ける基板９と一体に構成した固定部材９ａに、例えばハンダ付けして固定する。当該基板９には電気配線が施してある。当該基板と前記基端部６ｂとは例えばリード線Ｗで接続してある。これにより、前記充電端子６ａに所定の電流・電圧が印加される。
【００３０】
本構成のごとく、線状部材６を基板９と一体の固定部材９ａに固定する場合には、線状部材６を予め基板９の側に固定しておくことができるため、基板９と線状部材６とを組み立てた状態で前記本体Ｓ１に取り付けることができる。この結果、充電装置Ｓの組み立てがより容易となる。
勿論、線状部材６の基端部６ｂを基板９に直に取り付ける構成とし（図１０）、固定部材９ａを省略する構成とすれば、充電装置Ｓの構成がより簡単になり、組み立て工数も削減することができる。
【００３１】
本実施形態の線状部材６では、前記基端部６ｂと前記充電端子６ａとの間にはコイルバネ部６ｃを形成してある。このコイルバネ部６ｃにより、充電端子６ａが電話機１ａの受電端子１ｂに対して適度な付勢力で当接する。
勿論、当該線状部材６は、単に一本の部材を屈曲形成したものであってもよい。その場合には、線状部材自身の弾性力によって充電端子６ａを電話機１ａの受電端子１ｂに付勢させる。
【００３２】
（スライド部材）
図３乃至図１０に示すごとく、前記出退部７は、前記本体Ｓ１に対して一方向に沿って往復移動するスライド部材８に形成してある(図３)。当該スライド部材８は、本体Ｓ１の内側に設けた溝部１０に沿って移動可能である。溝部１０の端部内壁１０ａとスライド部材８との間には、スライド部材８を一方向に付勢する第２バネ１１を設けてある。この第２バネ１１の作用により、電話機１ａを装着していない場合には、前記出退部７が本体Ｓ１の外部に突出する（図８（ａ））。本実施形態の充電装置Ｓでは、電話機１ａを略上下方向に沿って着脱するが、前記スライド部材８の動作方向はこれとほぼ直角であり、充電装置Ｓの正面方向視（図８（ｂ）、図９（ｂ））において、手前側及び奥側に移動する。勿論、この動作方向は何れの方向であってもよく、例えば、電話機１ａの着脱方向に沿って出退方向を定めてもよい。
【００３３】
図８乃至図１０に示すごとく、前記スライド部材８のうち、前記コイルバネ部６ｃに当接する側と反対の端部には、前記線状部材６に当接して前記充電端子６ａが本体Ｓ１からの出退するのを制御する規制部１２を形成してある。この規制部１２は、傾斜面１２ａを備えている。電話機１ａを装着しない状態では、前記コイルバネ部６ｃの付勢力によってスライド部材８が線状部材６の側に付勢される。このとき、前記傾斜面１２ａによって、線状部材６のうち前記コイルバネ部６ｃの外側位置が、前記本体Ｓ１の正面側かつ下方側に押し込まれる。この結果、充電端子６ａは本体Ｓ１の内部に引退する。
【００３４】
一方、電話機１ａが装着されると、前記出退部７が電話機１ａの底部によって本体Ｓ１の内部に押される。スライド部材８は、前記第２バネ１１の付勢力に反して本体Ｓ１の内方に移動する。この結果、傾斜面１２ａによる線状部材６の押圧規制が解除され、充電端子６ａが本体Ｓ１の外部に突出する。このとき、線状部材６の弾性力のみによって充電端子６ａが電話機１ａの受電端子１ｂに当接する。このように線状部材６は強制的に受電端子１ｂに押し付けられることがなく、充電端子６ａが変形して充電機能が損なわれるといった不都合は生じない。
【００３５】
尚、充電端子６ａの先端部には、当該充電端子６ａが前記本体Ｓ１から過度に突出するのを防止するために、前記本体Ｓ１の内面に当接するよう充電端子６ａの先端を屈曲させたストッパ６ｄを設けてある。充電端子６ａは、線状部材６を所定の形状に屈曲させただけの簡単な構成である。よって、充電端子６ａが何かの拍子に前記端子用孔部５から過度に突出すると、充電端子６ａの端部が前記本体Ｓ１の外表面に引掛かり、本体Ｓ１の内部に戻らなくなるおそれがある。しかし、本構成のごとくストッパ６ｄを設けておけば、このような不都合は生じない。
【００３６】
（底部材）
図４乃至図７に示すごとく、前記本体Ｓ１の裏面には底部材Ｓ２を取り付ける。当該底部材Ｓ２を取り付けることで、前記溝部１０に対して前記本体Ｓ１の裏側から嵌め込んだスライド部材８の抜け出しを防止し、前記基板９の取付姿勢を安定化させる。
本実施形態では、前記本体Ｓ１の開口縁部１３の内周に底部材Ｓ２の縁部が嵌合する段部１４を設けると共に、当該段部１４の複数箇所に嵌合用の爪部１５を設ける。一方、底部材Ｓ２の外縁部にも前記爪部１５が係止する被係止部３を備える。本構成であれば、底部材Ｓ２を本体Ｓ１に容易に取り付けることができる。
尚、図示は省略するが、この他にも底部材Ｓ２を本体Ｓ１にネジ止めするように構成することもできる。
【００３７】
図７乃至図９に示すごとく、前記底部材Ｓ２の内面側には、前記本体Ｓ１に底部材Ｓ２を取り付けた状態で、前記線状部材６の一部を押圧し、前記線状部材６を前記規制部１２に当接させつつ、前記線状部材６を所定の形状に矯正する押圧部１６を備えている。本実施形態では、線状部材６の中間部分にコイルバネ部６ｃを設けてある。
【００３８】
一方、本実施形態では、底部材Ｓ２に前記コイルバネ部６ｃを包持する箱部１６ａを備えている。底部材Ｓ２を本体Ｓ１に取り付けるとき、前記コイルバネ部６ｃが当該箱部１６ａの内部に入り込むと同時に、コイルバネ部６ｃは、底部材Ｓ２によって本体Ｓ１の内方に押し込まれる。このように、箱部１６ａでコイルバネ部６ｃを包持しつつ本体Ｓ１の内方に押し込む構成であれば、コイルバネ部６ｃの押圧操作に際して、コイルバネ部６ｃが位置ずれすることがない。よって、線状部材６と規制部１２とを所期の当接状態に設定することができるうえに、当該充電装置Ｓの組立作業も容易になる。
さらに、充電装置Ｓの組立てに際して、箱部１６ａを設けた底部材Ｓ２を本体Ｓ１に近付ける場合に、作業者は、前記線状部材６が変形することによる抵抗を受ける。しかし、箱部１６ａによってコイルバネ部６ｃを包持しつつ前記本体Ｓ１の内方にコイルバネ部６ｃを押し込む構成であるから、コイルバネ部６ｃが不意に姿勢変化するようなことが無い。よって、底部材Ｓ２の取り付け操作が安定して当該充電装置Ｓの組立作業が容易になる。
【００３９】
このような押し込みに際し、線状部材６がその後の機能を発揮できないほど変形するのは好ましくない。本構成のようにコイルバネ部６ｃを前記押圧部１６によって押し込む構成であれば、当該変形の観点からも有利である。例えば、一般にコイルバネは、その両端部間のねじり程度を変化させる構成であるから、本構成のように押圧した場合でも、コイルバネ部６ｃは所期の変形を受けるだけで、不都合が生じる程の変形を受けるものではない。また、例えば直線状の線状部材６を所定の角度に曲げるのに比べて、コイルバネ部６ｃのねじり量を変化させて同じ角度だけ曲げ変形させる方が、線状部材６の局部に作用する応力も小さくなる。よって、本構成であれば、線状部材６を損傷させることのない合理的な充電端子６ａ構造を得ることができる。
【００４０】
図６及び図７には、底部材Ｓ２を前記本体Ｓ１に取り付ける前後の状態を示す。この図から明らかなように、箱部１６ａによって押し込まれるコイルバネ部６ｃは、線状部材６のうち前記基端部６ｂと前記スライド部材８の傾斜面１２ａに当接する部分との中間位置にある。このようにコイルバネ部６ｃが押し込まれる結果、線状部材６は、前記傾斜面１２ａに当接する位置を支点にして角変形する。これに伴い、図７に示すごとく、先端の充電端子６ａが本体Ｓ１の内部に引退する。
【００４１】
本構成であれば、基板９やスライド部材８を本体Ｓ１に仮組する行程において、底部材Ｓ２を取り付けるまで、前記スライド部材８の傾斜面１２ａと前記線状部材６とを接触させずにおくことができる。上述のごとく、前記スライド部材８は第２バネ１１の押し込みによって線状部材６の側に付勢する構成であるが、底部材Ｓ２を取り付けるまでは溝部１０から外れ易い状態にある。このような状態で、前記線状部材６がスライド部材８の傾斜面１２ａに当接するような仮組みを強いられるとすれば、スライド部材８の姿勢が乱れて、第２バネ１１の付勢力によって溝部１０から飛び出すおそれが生じる。このような不安定な状態で行う仮組作業は非常に煩雑なものとなる。
しかし、本構成のごとく、底部材Ｓ２を取り付ける際に、底部材Ｓ２によって初めて線状部材６が前記傾斜面１２ａに押し付けられるものであれば、作業途中にスライド部材８が飛び出すおそれがなく、組み立て作業が極めて容易となる。
【００４２】
尚、当該組み立てに際して、充電端子６ａに隣接して設けたストッパ６ｄが有効に働く。図６に示すごとく、底部材Ｓ２を取り付ける前の状態では、コイルバネ部６ｃは自由状態にある。この結果、先端の充電端子６ａは、左右とも、本体Ｓ１の中央側に位置している。線状部材６の形状には個別に形状誤差がある。よって、図６の状態で、場合によっては、充電端子６ａが端子用孔部５から本体Ｓ１の外側に過度に突出する可能性がある。
しかし、本構成のごとくストッパ６ｄを備える結果、図６の状態で充電端子６ａが過度に突出するのを防止することができる。よって、底部材Ｓ２の取り付けに際して、充電端子６ａが本体Ｓ１の外面に引掛かることがなく、コイルバネ部６ｃの押付け変形が行えないといった不都合は生じない。このように、前記ストッパ６ｄは、当該充電装置Ｓの組み立ての容易化にも寄与している。
【００４３】
当該実施形態では、前記押圧部１６を底部材Ｓ２に設ける例を示したが、この他にも、押圧部１６を形成した別の部材を底部材Ｓ２に固定する構造であっても良い。
【００４４】
（動作態様）
図３に示すように、本発明の充電装置Ｓでは、前記線状部材６に対する前記規制部１２の押圧方向と、前記充電端子６ａの出退方向とがほぼ直角である。つまり、前記規制部１２は、充電装置Ｓの正面手前側と奥側とにスライド移動するのに対して、前記充電端子６ａは正面方向視において略左右に出退する。線状部材６は前記第２バネ１１によって正面手前側に付勢されているから、充電端子６ａは、前記本体Ｓ１に設けた端子用孔部５の両縁部のうち正面側の縁部に押し付けられる。この結果、前記充電端子６ａは、前記端子用孔部５のうち常に同じ位置で出退する。
【００４５】
この点、従来の充電装置Ｓでは、端子用孔部５は、単に充電端子６ａを出退させるためにある程度の位置規制を行えば十分であった。よって、例えば端子用孔部５の開口幅が充電端子６ａの外径寸法よりも大きい場合には、充電端子６ａは、端子用孔部５のうちの何れの位置から出退するかを特に規制されるものではなかった。このため、充電端子６ａの出退に際する当該位置ずれを許容するためには、例えば電話機１ａの受電端子１ｂの幅を広く確保しておく必要があった。
【００４６】
しかし、本構成のごとく、端子用孔部５の一方の縁部に対して充電端子６ａが常に摺動する構成であれば、仮に端子用孔部５の開口幅にバラツキがあっても、充電端子６ａの出退位置が正確なものとなる。この結果、電話機１ａの受電端子１ｂに対する充電端子６ａの当接が確実になる。さらに当該当接が確実になる結果、受電端子１ｂをより小さく構成でき、携帯電話機１ａの意匠性を高めることもできる。
【００４７】
充電端子６ａの出退位置の精度を高める構成として、本発明の充電装置Ｓはさらに以下の構成も有する。図１１には、側面視における充電端子６ａの取り付け角度を示してある。このうち、実線は、線状部材６を装置本体Ｓ１に組み込んだ後の状態を示す。これに対して二点鎖線は、線状部材６を前記基板９に固定しただけのフリーの状態を示す。この図から明らかなごとく、線状部材６の方向、即ち、基端部６ｂから先端の充電端子６ａに向かう方向が、前記基端部６ｂから前記端子用孔部５に向かう方向に対して本体Ｓ１の正面側に変位している。この角度は、例えば、線状部材６を前記基板９にハンダ付けする際に調節する。
【００４８】
本構成であれば、線状部材６の先端に形成した充電端子６ａを端子用孔部５に挿通したとき、線状部材６の基端側の部位あるいは中間部位にねじり力や撓み力が作用する。これらの力により、充電部材を端子用孔部５の一方の縁部に常に付勢する効果をさらに高めることができる。
【００４９】
尚、上記線状部材６の上記角度をより確実に規定するために、本実施形態では図８（ａ）或いは図１１に示すごとく、前記箱部１６ａの内部に矯正部１６ｂを設けてある。この矯正部１６ｂは、前気押圧部１６が前記コイルバネ部６ｃを押圧する際に、前記コイルバネ部６ｃの側面に当接して、前記箱部１６ａの内部におけるコイルバネ部６ｃの位置およびねじり状態を設定し、コイルバネ部６ｃの姿勢を安定させるものである。この結果、線状部材６に上記ねじり力を適切に付与することができ、充電端子６ａの出退動作を確実なものにすることができる。
【産業上の利用可能性】
【００５０】
本発明は、携帯電話機１ａの充電装置Ｓと用いることができる他、各種電気機器１に内蔵する二次電池、あるいは、各種二次電池自身の充電装置Ｓとして利用可能である。
【図面の簡単な説明】
【００５１】
【図１】本発明の充電装置の外観を示す斜視図
【図２】充電装置に電気機器を装着した状態を示す斜視図
【図３】本発明の充電装置を示す一部切り欠き斜視図
【図４】充電装置本体の内部および底部材の内面を示す斜視図
【図５】基板を取り付けた状態を示す裏面図
【図６】充電装置本体に底部材を取り付ける前の正面視における説明図
【図７】充電装置本体に底部材を取り付けた後の正面視における説明図
【図８】電気機器を装着していないときの充電端子の状態を示す説明図
【図９】電気機器を装着したときの充電端子の状態を示す説明図
【図１０】充電端子およびスライド部材の動作態様を示す説明図
【図１１】線状部材の取付態様を示す側面視における説明図
【図１２】従来の充電装置の構成を示す側方断面図
【符号の説明】
【００５２】
１      電気機器
２      凹部
５      端子用孔部
６      線状部材
６ａ    充電端子
６ｂ    基端部
６ｃ    コイルバネ部
６ｄ    ストッパ
７      出退部
８      スライド部材
９      基板
９ａ    固定部材
１２    規制部
１６    押圧部
１６ａ  箱部
１６ｂ  矯正部
Ｓ      充電装置
Ｓ１    充電装置本体
Ｓ２    底部材
【図１】
2006353036.tif 000003
【図２】
2006353036.tif 000004
【図３】
2006353036.tif 000005
【図４】
2006353036.tif 000006
【図５】
2006353036.tif 000007
【図６】
2006353036.tif 000008
【図７】
2006353036.tif 000009
【図８】
2006353036.tif 000010
【図９】
2006353036.tif 000011
【図１０】
2006353036.tif 000012
【図１１】
2006353036.tif 000013
【図１２】
2006353036.tif 000014